(57)【要約】【課題】  高温にすることなく消毒洗浄でき、また消毒洗浄の作業をスムースにできる器具洗浄方法および装置を提供する。【解決手段】  被洗浄体を浸漬して消毒する消毒液を注入した第１の槽４と、第１の槽４により消毒された被洗浄体を浸漬して洗浄する洗浄液を注入した第２の槽５と、乾燥装置を有し第２の槽５で洗浄された被洗浄体を乾燥する第３の槽６とを備えている。消毒液は、次亜塩素酸ナトリウムと無水メタケイ酸ソーダを含む。洗浄液はアルカリ電解水である。第１の槽４および第２の槽５には超音波発生装置１２を設けている。【選択図】  図１
2006043332.tif 000002
【特許請求の範囲】
【請求項１】
被洗浄体を消毒液に浸漬する第１工程と、前記被洗浄体に付着した前記消毒液を洗浄する第２工程と、洗浄された前記被洗浄体を乾燥する第３工程とを含む器具洗浄方法。
【請求項２】
前記消毒液は、次亜塩素酸塩系消毒剤と珪酸ソーダ系の緩衝剤を含む請求項１記載の器具洗浄方法。
【請求項３】
前記次亜塩素酸塩系消毒剤は次亜塩素酸ナトリウムであり、緩衝剤は無水メタケイ酸ソーダである請求項２記載の器具洗浄方法。
【請求項４】
前記被洗浄体を洗浄する洗浄液はアルカリ電解水である請求項１記載の器具洗浄方法。
【請求項５】
前記第１工程および第２工程の両工程は、液中に間欠的に超音波を印加する請求項１記載の器具洗浄方法。
【請求項６】
被洗浄体を浸漬して消毒する消毒液を注入した第１の槽と、前記第１の槽により消毒された前記被洗浄体を浸漬して洗浄する洗浄液を注入した第２の槽と、乾燥装置を有し前記第２の槽で洗浄された前記被洗浄体を乾燥する第３の槽とを備えた器具洗浄装置。
【請求項７】
前記第１の槽、前記第２の槽および前記第３の槽を収納する開口を有する共通のケースと、このケースの前記開口を閉じる蓋とを有する請求項６記載の器具洗浄装置。
【請求項８】
前記第１の槽および前記第２の槽は槽内の液体に超音波を印加する超音波発振装置を有する請求項６または請求項７記載の器具洗浄装置。
【請求項９】
前記被洗浄体を収納する網製容器であって前記第１の槽、前記第２の槽および前記第３の槽内に出し入れする網パレットを有する請求項６または請求項７記載の器具洗浄装置。
【請求項１０】
前記第３の槽は内壁に排気孔と給気孔を有し、前記乾燥装置は送風乾燥装置であり、前記第３の槽の外部の前記ケース内に前記排気孔に接続する吸込口を有し、前記給気孔に接続する吐出口を有する請求項７記載の器具洗浄装置。
【請求項１１】
被洗浄体を浸漬して消毒する消毒液と前記消毒液により消毒された前記被洗浄体を浸漬して洗浄する洗浄液とを選択的に注入する第１の槽と、乾燥装置を有し前記第１の槽で洗浄された前記被洗浄体を乾燥する第２の槽とを備えた器具洗浄装置。
【請求項１２】
前記第１の槽に前記消毒液を供給し前記第１の槽から前記消毒液を排液する消毒液給排装置と、前記第１の槽に前記洗浄液を供給し前記第１の槽から前記洗浄液を排液する洗浄液給排装置と、網製容器により形成されて被洗浄体を収納するとともに前記第１の槽および前記第２の槽に選択的に挿入可能な網パレットと、前記第１の槽と前記第２の槽の間を移動自在な移動体を有する移動装置と、前記移動体に設けられて前記移動体の移動により前記網パレットを前記第１の槽または前記第２の槽に出し入れする昇降装置とを有する請求項１１記載の器具洗浄装置。
【請求項１３】
被洗浄体を浸漬して消毒する消毒液を注入する第１の槽と、開閉自在な給気孔と排気孔を有する第２の槽と、前記給気孔と前記排気孔を閉じた状態で消毒済の前記被洗浄体を浸漬して洗浄する洗浄液を注入し前記第２の槽内の洗浄液を排液する洗浄液給排装置と、前記給気孔および前記排気孔を開いた状態で前記第２の槽内の前記被洗浄体を乾燥する送風乾燥装置とを備えた器具洗浄装置。
【請求項１４】
開閉自在な給気孔と排気孔を有する槽と、前記給気孔と前記排気孔を閉じた状態で被洗浄体を浸漬して消毒する消毒液を注入し前記槽内の前記消毒液を排液する消毒液給排装置と、前記給気孔と前記排気孔を閉じた状態で消毒済の前記被洗浄体を浸漬して洗浄する洗浄液を注入し前記槽内の前記洗浄液を排液する洗浄液給排装置と、前記給気孔および前記排気孔を開いた状態で前記槽内の前記被洗浄体を乾燥する送風乾燥装置とを備えた器具洗浄装置。
【請求項１５】
前記洗浄液が排液された槽を前記洗浄液を用いて洗浄する請求項６から請求項１４記載の器具洗浄装置。
【発明の詳細な説明】
【技術分野】
【０００１】
この発明は、歯科や、医院あるいは病院等において、例えば外科手術等において、利用される医療用小型器具などの被洗浄体を消毒洗浄する器具洗浄方法および装置に関するものである。
【背景技術】
【０００２】
現在、Ｂ型肝炎およびＣ型肝炎の患者は、全国で約５００万人と推定されている。これらの肝炎感染の一原因として、歯科などで使用する医療用小型器具に付着した血液による肝炎感染が指摘されている。
【０００３】
従来、歯科医療で使用された金属製器具に付着した薬剤や充填剤等の付着物を洗浄液で洗浄し、乾燥する洗浄装置があった（特許文献１参照）。
【０００４】
また、歯治療に使用された小型器具を超音波洗浄し、さらにオートクレーブ蒸気消毒して、肝炎感染を予防するものがあった。
【特許文献１】特開平９−１０８６４２号公報
【発明の開示】
【発明が解決しようとする課題】
【０００５】
従来のように、金属製器具に付着した付着物を洗浄し、乾燥するだけでは肝炎汚染を予防することはできない。
【０００６】
また従来のオートクレーブ蒸気消毒する方法は、金属製小型器具が高温になるためその尖った部分がなまるなどの弊害があり、小型器具にとって良い条件とは言えない。
【０００７】
また医院においては、その規模によるが、洗浄用の超音波発振装置とオートクレーブ蒸気消毒装置が設備の都合などから通常離れた場所に置いてあるため、洗浄、消毒といった作業の連動性が悪い。
【０００８】
したがって、この発明の目的は、高温にすることなく消毒洗浄でき、また消毒洗浄の作業をスムースにできる器具洗浄方法および装置を提供することである。
【課題を解決するための手段】
【０００９】
この発明の器具洗浄方法は、被洗浄体を消毒液に浸漬する第１工程と、前記被洗浄体に付着した前記消毒液を洗浄する第２工程と、洗浄された前記被洗浄体を乾燥する第３工程とを含むものである。
【００１０】
上記構成において、前記消毒液は、次亜塩素酸塩系消毒剤と珪酸ソーダ系の緩衝剤を含む。
【００１１】
上記構成において、前記次亜塩素酸塩系消毒剤は次亜塩素酸ナトリウムであり、緩衝剤は無水メタケイ酸ソーダである。
【００１２】
上記構成において、前記被洗浄体を洗浄する洗浄液はアルカリ電解水である。
【００１３】
上記構成において、前記第１工程および第２工程の両工程は、液中に間欠的に超音波を印加する。
【００１４】
この発明の器具洗浄装置は、被洗浄体を浸漬して消毒する消毒液を注入した第１の槽と、前記第１の槽により消毒された前記被洗浄体を浸漬して洗浄する洗浄液を注入した第２の槽と、乾燥装置を有し前記第２の槽で洗浄された前記被洗浄体を乾燥する第３の槽とを備えたものである。
【００１５】
上記構成において、前記第１の槽、前記第２の槽および前記第３の槽を収納する開口を有する共通のケースと、このケースの前記開口を閉じる蓋とを有するものである。
【００１６】
上記構成において、前記第１の槽および前記第２の槽は槽内の液体に超音波を印加する超音波発振装置を有する。
【００１７】
上記構成において、前記被洗浄体を収納する網製容器であって前記第１の槽、前記第２の槽および前記第３の槽内に出し入れする網パレットを有する。
【００１８】
上記構成において、前記第３の槽は内壁に排気孔と吸気孔を有し、前記乾燥装置は送風乾燥装置であり、前記第３の槽の外部の前記ケース内に前記排気孔に接続する吸込口を有し、前記給気孔に接続する吐出口を有するものである。
【００１９】
この発明の器具洗浄装置は、被洗浄体を浸漬して消毒する消毒液と前記消毒液により消毒された前記被洗浄体を浸漬して洗浄する洗浄液とを選択的に注入する第１の槽と、乾燥装置を有し前記第１の槽で洗浄された前記被洗浄体を乾燥する第２の槽とを備えたものである。
【００２０】
上記構成において、前記第１の槽に前記消毒液を供給し前記第１の槽から前記消毒液を排液する消毒液給排装置と、前記第１の槽に前記洗浄液を供給し前記第１の槽から前記洗浄液を排液する洗浄液給排装置と、網製容器により形成されて被洗浄体を収納するとともに前記第１の槽および前記第２の槽に選択的に挿入可能な網パレットと、前記第１の槽と前記第２の槽の間を移動自在な移動体を有する移動装置と、前記移動体に設けられて前記移動体の移動により前記網パレットを前記第１の槽または前記第２の槽に出し入れする昇降装置とを有するものである。
【００２１】
この発明の器具洗浄装置は、被洗浄体を浸漬して消毒する消毒液を注入する第１の槽と、開閉自在な給気孔と排気孔を有する第２の槽と、前記給気孔と前記排気孔を閉じた状態で消毒済の前記被洗浄体を浸漬して洗浄する洗浄液を注入し前記第２の槽内の洗浄液を排液する洗浄液給排装置と、前記給気孔および前記排気孔を開いた状態で前記第２の槽内の前記被洗浄体を乾燥する送風乾燥装置とを備えたものである。
【００２２】
この発明の器具洗浄装置は、開閉自在な給気孔と排気孔を有する槽と、前記給気孔と前記排気孔を閉じた状態で被洗浄体を浸漬して消毒する消毒液を注入し前記槽内の前記消毒液を排液する消毒液給排装置と、前記給気孔と前記排気孔を閉じた状態で消毒済の前記被洗浄体を浸漬して洗浄する洗浄液を注入し前記槽内の前記洗浄液を排液する洗浄液給排装置と、前記給気孔および前記排気孔を開いた状態で前記槽内の前記被洗浄体を乾燥する送風乾燥装置とを備えたものである。
【００２３】
上記構成において、前記洗浄液が排液された槽を前記洗浄液を用いて洗浄する。
【発明の効果】
【００２４】
この発明の器具洗浄方法によれば、消毒液に浸漬し、消毒したものを洗浄し、乾燥するため、被洗浄体を高温にすることなく、消毒洗浄することができる。また消毒液、洗浄液および乾燥装置は並べて置くのに設備等の支障がないので一連の作業がスムースに行える。
【００２５】
消毒液は、次亜塩素酸塩系消毒剤と珪酸ソーダ系の緩衝剤を含むため、例えば血液感染性ウィルスを消毒することができるだけでなく、消毒効果の経時変化を抑制し、安定した状態で消毒効果を長持ちすることができるとともに、被洗浄体の腐食を防止することができる。
【００２６】
第１工程および第２工程において、液中に間欠的に超音波を印加すると、被洗浄体の付着物を表面より迅速に遊離させることがてきるので消毒効果を効率よくできる。
【００２７】
この発明の器具洗浄装置によれば、第１の槽、第２の槽および第３の槽で被洗浄体を消毒、洗浄、乾燥することができ、槽を並べて配置することによりこれらの一連の作業をし易くすることができる。
【００２８】
前記第１の槽、前記第２の槽および前記第３の槽を収納する共通のケースを設けると、３つの槽を１つのユニットとして設置、搬送等ができるので便利になる。
【００２９】
前記被洗浄体を収納して前記第１の槽、前記第２の槽および前記第３の槽内に出し入れする網パレットを用意すると、複数の被洗浄体を一度に第１の槽等に出し入れすることができ、極めて作業容易になるし、消毒液や洗浄液に手袋をすることなく手を触れないで作業することが可能となる。
【００３０】
前記第３の槽と前記ケース内とで風を循環させることにより、乾燥中外気を取り入れないので、フィルタを必要とすることなく、被洗浄体が外気によって汚されることがない。
【００３１】
槽を２槽あるいは１槽にすることにより装置の小型化が図れる。また消毒、洗浄および乾燥の一連の作業を自動化することにより人為的作業が減るのとで歯科治療等における作業能率も向上するとともに、消毒液が人体に付着するのを防止することができる。また消毒後や洗浄後の放置による金属製器具の錆の発生を防止することができる。
【発明を実施するための最良の形態】
【００３２】
この発明の第１の実施の形態の器具洗浄装置を図１から図４により説明する。ケース１の天部は開閉自在な蓋３で閉じられ、天部に３つのほぼ同じ大きさの開口２を並べて形成し、それぞれ第１の槽４、第２の槽５および第３の槽６を着脱自在に嵌め込んでいる。これらの槽４〜６はその開口周縁より折曲部７を外向きに折り曲げて突出しており、折曲部７を開口２の周縁に係止してケース１に着脱自在に支持されている。第１の槽４、第２の槽５および第３の槽６の各底部には排液口８を設け、排液口８にドレンホース１１の一端部を連結し、外端となる他端部をケース１の背面側に形成した排液用穴９を通して背面に設けたかぎ状の止め具１０に引掛けて保持している。ドレンホース１１の外端の高さは槽内に注入する液面よりも高く設定し、ドレンホース１１から放液されないようにしている。第１の槽４および第２の槽５の外底面には超音波発振装置１２を取付けている。第３の槽６には側壁に排気孔１４と給気孔１５を設けている。ケース１内の第３の槽６の下部に乾燥装置としてヒータ付送風乾燥装置１６を設置しその吐出口１７を給気孔１５に接続し、吸込口１８を排気孔１４に接続している。また第３の槽６の開口をカバー１９で塞ぎ、第３の槽６内に外気が入らずに送風乾燥装置１６で第３の槽６内とケース１内との間で温風を循環している。１９ａはカバー１９の取手である。網パレット２０は網体により形成され複数の被洗浄体を入れる網製容器であり、各槽４〜６に出し入れできる大きさとし、両端部に把持部２０ａを設けている。なお第３の槽６のカバー１９には把持部２０ａを突出させる穴を設けている。網パレット２０に入れる被洗浄体として、例えば医療用小型器具の場合、スチールバー、リーマ、手術器具などがある。
【００３３】
ケース１の前面側には操作パネル２１を設け、操作パネル２１の裏側に操作回路２９を設けている。操作パネル２１には各槽４〜６に対応してスイッチ２２〜２４、タイマ（図示せず）および表示灯２５〜２７を設けている。操作回路２９は、第１の槽４および第２の槽５の操作用のスイッチ２２、２３の操作によりタイマが作動すると同時にタイマの動作中超音波発振装置１２が動作し、かつ表示灯２５、２６が点灯するように回路構成している。第３の槽６の操作用のスイッチ２４の操作によりタイマが動作し、タイマの動作中送風乾燥装置１６が動作し、かつ表示灯２７が点灯するように回路構成している。
【００３４】
第１の槽４に注入する消毒液は、次亜塩素酸塩系の次亜塩素酸ナトリウムに珪酸ソーダ系の緩衝剤例えば無水メタケイ酸ソーダを加えたものである。
次亜塩素酸ナトリウムは、労働厚生省が血液感染性ウィルスに効果があると認めている薬剤である。緩衝剤は濃度の経時変化を抑える消毒効果の維持と、金属製容器の腐食を防止する効果がある。濃度２０００ｐｐｍの消毒液の場合、溶媒として例えば水に次亜塩素酸系の次亜塩素酸ナトリウムの容量０．２％と、無水メタケイ酸ソーダの容量約０．５％〜２％を加えている。さらに炭酸ソーダを加えると相乗効果がある。被洗浄体は上記消毒液に約１時間浸漬する。その間に２〜３回、５〜１０分間間欠的に超音波を加える。これにより、被洗浄体に付着した血液感染性ウィルスが効率的に消毒されるとともに、被洗浄体が緩衝剤の効果により錆止めされる。使い終わった液はドレンホース１１の外端を止め具１０から外して第１の槽４の液面より下方に下げ、ウィルスは消毒されているので通常の下水に排液する。
【００３５】
第２の槽５には消毒液を洗浄する洗浄液としてアルカリ電解水を注入する。被洗浄体を洗浄液に浸漬した状態で５〜１０分間超音波を加えながら洗浄する。なお、第１の槽４の消毒液および第２の槽５の洗浄液は１日１回程度交換する。
【００３６】
第３の槽６では送風乾燥装置１６により温風を第３の槽６とケース１内で循環して被洗浄体の乾燥を行う。すなわち、送風乾燥装置１６の吐出口１７から給気孔１５を通して第３の槽６内に温風を吹込み、排気孔１４を通して吸込口１８から送風乾燥装置１６内に戻す。送風乾燥装置１６に設けたヒータを動作させないと冷風となる。このように外部から空気を吸入しないので、乾燥中に被洗浄体が外気に汚染されないし、フィルタを設ける必要もない。
【００３７】
槽４〜６の寸法については、例えば歯科医の場合歯科医で標準的に使用されている小型器具の寸法にあわせた縦２５０ｍｍ×横１００ｍｍ×高さ１００ｍｍ程度の網パレットが入る程度の大きさとする。
【００３８】
この器具洗浄方法は、被洗浄体を消毒液に浸漬し、被洗浄体に付着した消毒液を洗浄し、洗浄された被洗浄体を乾燥するものである。まず、複数の被洗浄体を網パレット２０に入れ、網パレット２０を消毒液の入った第１の槽４内に挿入することにより、被洗浄体を消毒液に浸漬する。第１の槽４に被洗浄体を浸ける前には水道水などによる予備洗浄はせずに、いきなり第１の槽４に浸ける。これは予備洗浄による排水の処理方法が垂れ流しになり、感染予防システムが無意味となるためである。
【００３９】
次に被洗浄体を洗浄する場合、手動で被洗浄体を移動する。すなわち、第１の槽４の網パレット２０を第１の槽４から取り出し、そのまま洗浄液の入った第２の槽５に入れるか、あるいは別の網パレット２０に被洗浄体を移し、その網パレット２０を第２の槽５に入れて被洗浄体を洗浄液に浸漬する。洗浄された被洗浄体を乾燥する場合も、手動で被洗浄体を移動し、第２の槽５から網パレット２０で第３の槽６に入れ、送風乾燥装置で乾燥する。各槽４〜６での処理は上記したとおりである。
【００４０】
この発明の第２の実施の形態の器具洗浄装置を図５から図７により説明する。３段式の棚装置３０の上段の棚３１に器具洗浄装置の本体を設置し、中段の棚３２に消毒液用タンク３３を設置し、下段の棚３４に洗浄液用タンク３５を設置している。第２の実施の形態が第１の実施の形態と異なる点は、第１の槽４０および第２の槽４１からなる２槽式であり、かつ消毒液給排装置３６と洗浄液給排装置４５と移動装置５１を有する全自動式になっていることである。
【００４１】
第１の槽４０は最初に消毒液が注入され、ついで消毒後第１の槽４０から消毒液を除去した後洗浄液が入れられる。消毒液給排装置３６はポンプ３７と切り換え弁３８とで構成され、ポンプ３７の吸入側に接続された給液管３９の先端が消毒液タンク３３内の底部の位置に挿入され、ポンプ３７の吐出側が切り換え弁３８を介して第１の槽４０給排管４２により接続され、切り換え弁３９に接続された排液管４３の先端は消毒用タンク３３に挿入されているが、消毒用タンク３３外に排出するようにしてもよい。第１の槽４０に消毒液を供給するときは切り換え弁３８をポンプ３７と第１の槽４０が繋がるように切り換え、ポンプ３７を作動して消毒液タンク３３より消毒液を第１の槽４０に供給する。消毒終了後第１の槽４０の消毒液を排出するときはポンプ３７を停止し、切り換え弁３８を第１の槽４０と排液管４３とが繋がるように切り換える。これにより第１の槽４０内の消毒液が自重で排液管４３より落下する。
【００４２】
洗浄液給排装置４５も、ポンプ４６と切り換え弁４７とで構成され、ポンプ４６の吸入側に接続された給液管４８の先端が洗浄液用タンク３５内の底部の位置に挿入され、ポンプ４６の吐出側が切り換え弁４７を介して第１の槽４０と給排管４８に接続され、切り換え弁４７に接続された排液管４９の先端は洗浄液用タンク３５に挿入されているが、洗浄液用タンク３５外に排出するようにしてもよい。第１の槽４０に洗浄液を給液するときは、切り換え弁４７をポンプ４６と第１の槽４０が繋がるように切り換え、ポンプ４６を作動して洗浄液用タンク３５より洗浄液が第１の槽４０に供給される。第１の槽４０の洗浄液を排液するときはポンプ４６を停止し、切り換え弁４７を第１の槽４０と排液管４９とが繋がるように切り換える。これにより第１の槽４０内の洗浄液が自重で排液管４９より落下する。
【００４３】
被洗浄体は網パレット２０に挿入されて消毒および洗浄され、かつ第１の槽４０に超音波発振装置１２が設けられている点は第１の実施の形態と同様である。
【００４４】
移動装置５１はガイドレール５２と移動体５３を有する。ガイドレール５２はケース１内の第１の槽４０と第２の槽４１の下方で第１の槽４０と第２の槽４１の並び方向に平行に設置される。ガイドレール５２には移動体５３が往復移動自在に設けられ、その駆動手段は例えばリニアモータを用いる。移動体５３には昇降装置５４が設けられ、昇降装置５４には上方に垂直に延びたシリンダ４６を有し、ケース１に設けた第１の槽４０および第２の槽４１の両側に沿って延びたスリット５５より外部の蓋３内に突出し、網パレット２０の把持部２０ａに係合している。昇降装置５４としては一例として、シリンダ４６内にピストン（図示せず）を設け、例えば水圧式のポンプ装置でピストンを上下動作させピストンで網パレット２０を昇降するシリンダ装置を用いる。昇降装置５４により網パレット２０を第１の槽４０から出る程度に持ち上げ、この状態で移動体５３をガイドレール５２に沿って移動させ、網パレット２０を第２の槽４１に臨ませ、ついで昇降装置５４を下降動作させ、網パレット２０を第２の槽４１内に挿入する。第２の槽４１は第１の実施の形態の第３の槽６と同構成であり、送風乾燥装置１６により乾燥が行われる。その他は第１の実施の形態と共通する。
【００４５】
この器具洗浄装置の自動洗浄動作について説明する。核タンク３３、３５は満液の状態から開始する。網パレット２０に複数の被洗浄体を入れ、網パレット２０を第１の槽４０内に挿入する。切り換え弁３８およびポンプ３７を作動して消毒液用タンク３３から第１の槽４０内へ消毒液を供給する。第１の槽４０内が所定容量を満たすとポンプ３７を停止し切り換え弁３８を閉じる。注入容量の設定は液面のレベルが一定のとき信号を発生するレベル計（図示せず）や時間計測等で行う。この状態で消毒液中に被洗浄体を約１時間上記のように浸漬しておくが、その間に５〜１０分間超音波洗浄を２〜３回行う。
【００４６】
つぎにその後、切り換え弁３８を切り換え、消毒液を消毒液用タンク３３に戻すか、消毒液用タンク３３外に排液する。
【００４７】
消毒液が第１の槽４０から完全に抜けたことをレベル計等で検出して切り換え弁３８を閉じる。洗浄液用の切り換え弁４７を第１の槽４０を閉じた状態から切り換え、ポンプ４６を作動して洗浄液を洗浄液用タンク３５から第１の槽４０に注入する。注入容量の設定はレベル計や時間計測等で行う。第１の槽４０内に一定高さまで満たすとポンプ４６を停止し、切り換え弁４７を切り換えて第１の槽４０を閉じる。超音波発振装置１２を作動させて５〜１０分間超音波洗浄する。洗浄後切り換え弁４７を切り換え第１の槽４０と排液管４９を連通させ、洗浄液をタンク３５に戻すか外部に排液する。
【００４８】
この排液工程と同時作業で送風乾燥装置１６および移動体５３により網パレット２０を第２の槽４１に移動する。第２の槽４１において送風乾燥装置１６で十分な乾燥に要する所定の時間温風乾燥する。
【００４９】
上記の動作が自動的に連続して行われるように各機器が制御装置により制御される。一方ケース１の前面には消毒液給排装置３６の操作スイッチ６０、洗浄液給排装置４５の操作スイッチ６１、送風乾燥装置１６の操作スイッチ６２、移動装置５１の操作スイッチ６３があり、さらに各スイッチ６０〜６３に対応した表示灯６０ａ〜６３ａがあり、各スイッチ６０〜６３で個別に手動動作させることも可能である。
【００５０】
なお、タンク３３、３５の消毒液および洗浄液は１日１回の割合で新しいものと交換し、その間はタンク３３、３５に戻した液体とともに消毒や洗浄に利用する。
【００５１】
この発明の第３の実施の形態を図８から図１０により説明する。この器具洗浄装置が第２の実施の形態と異なる点は、槽が１つで、移動装置５１がないことである。
【００５２】
槽７０は第１の実施の形態の第３の槽６と同様に給気孔１５と排気孔１４を設けている。さらにこれらに仕切り弁７１、７２を設けている。これらの仕切り弁７１、７２を介して送風乾燥装置１６の吐出口１７を給気孔１５に接続し、吸込み口１８を排気孔１４に接続する。さらに第２の実施の形態の第１の槽４０の構成と同様に、槽７０に２本の給排管４２、４８を接続し、消毒液給排装置３６および洗浄液給排装置４５に接続している。
【００５３】
なお、ケース１の前面のパネル７８のスイッチ７５はそのオン操作により消毒液を槽７０に注入を開始し一定時間消毒し、排液する工程を行うものである。スイッチ７６はそのオン操作により洗浄液を槽７０に注入を開始し被洗浄体を超音波洗浄し、排液する工程を行うものである。スイッチ７７はそのオン操作により仕切り弁７１、７２を開き送風乾燥装置１６を作動し乾燥を行なう工程を行うものである。各スイッチ７５〜７７に隣接する表示灯７５ａ〜７７ａは各スイッチ７５〜７７の操作による動作中点灯する。
【００５４】
この器具洗浄装置の消毒洗浄動作について説明する。各タンク３３、３５は満液の状態から使用開始する。まず、仕切り弁７１、７２を閉じた状態にしておき、タンク３３から消毒液を槽７０内に供給し、被洗浄体を消毒する。つぎに消毒液を排液し洗浄液を槽７０に供給し、被洗浄体を洗浄する。この動作は第２の実施の形態の第１の槽４０の動作と同様である。洗浄後洗浄液をタンク３５へもどすか排液後槽７０から洗浄液が完全に抜けた状態で、乾燥を開始する。まず給気孔１５と排気孔１４の仕切り弁７１、７２を開き、送風乾燥装置１６を作動する。これにより槽７０内に温風が吹き込まれ被洗浄体が乾燥される。
【００５５】
なお、この発明の２槽タイプの器具洗浄装置において、第１の槽４０で消毒液を注入して被洗浄体の消毒のみ行ない、第２の槽４１で洗浄と乾燥を行う構成も可能である。この場合、第２の槽４１の構成は第３の実施の形態において、消毒液給排装置３６がない構成と同様となる。
【００５６】
また、この発明において、全自動型の場合、各洗浄後の排液後に同じ液で槽内の洗浄（フラッシング）を行ってもよい。消毒後の消毒液による槽のフラッシングも可能である。
【００５７】
さらにこの発明において、器具洗浄方法としては１槽式、２槽式において手動で行うことも可能である。
【００５８】
またドレンホース１１に代えて、バルブ付排液管を接続してもよい。
【００５９】
さらに乾燥装置付の槽では乾燥装置なしで自然乾燥にしてもよい。
【００６０】
また移動装置５１の昇降および移動の駆動手段は上記に限らず他の手段を使用することができる。
【００６１】
さらに槽の容量に応じて歯科のみならず医科全般に適用できる。
【００６２】
また被洗浄体の洗浄の手段および乾燥の手段は上記実施の形態に限らず他の手段を利用することができる。
【図面の簡単な説明】
【００６３】
【図１】この発明の器具洗浄装置の第１の実施の形態の蓋を開いた状態の斜視図である。
【図２】その概略断面図である。
【図３】第１の槽を含む断面図である。
【図４】第３の槽を含む断面図である。
【図５】第２の実施の形態の斜視図である。
【図６】器具洗浄装置の本体とタンクとの配線関係を示す側面図である。
【図７】ガイドレールと昇降装置を示す説明図である。
【図８】第３の実施の形態の斜視図である。
【図９】内部構成を示す概略説明図である。
【図１０】器具洗浄装置の本体とタンクとの配線関係を示す側面図である。
【符号の説明】
【００６４】
１    ケース
２    開口
３    蓋
４    第１の槽
５    第２の槽
６    第３の槽
１１    ドレンホース
１２    超音波発振装置
１４    排気孔
１５    給気孔
１６    送風乾燥装置
１７    吐出口
１８    吸込口
２０    網パレット
３６    消毒液給排装置
４０    第１の槽
４１    第２の槽
４５    洗浄液給排装置
５１    移動装置
７０    槽
【図１】
2006043332.tif 000003
【図２】
2006043332.tif 000004
【図３】
2006043332.tif 000005
【図４】
2006043332.tif 000006
【図５】
2006043332.tif 000007
【図６】
2006043332.tif 000008
【図７】
2006043332.tif 000009
【図８】
2006043332.tif 000010
【図９】
2006043332.tif 000011
【図１０】
2006043332.tif 000012